(57)【要約】【課題】再生動作の開始時・停止時における高電圧印加によるＭＲヘッドの破壊を安定的に防止する。【解決手段】装置本体側からの交流電源電圧は、ロータリートランスを介して、回転ドラム上に設けられた整流・定電圧回路３５に供給される。整流・定電圧回路３５は、供給された交流電源電圧を基に、再生ヘッド２４のＭＲ素子に対してセンス電流およびバイアス電流を供給するための回路を備え、そのような回路として、供給された交流電源電圧を整流し、接地電位を基準としたプラス側およびマイナス側にそれぞれ接続されたコンデンサＣ１１およびＣ１２の容量が同一とされた整流回路と、整流された電源電圧を基に、プラス側およびマイナス側に対してそれぞれ絶対値の等しい電圧を発生するレギュレータ３５１および３５２とが、回転ドラム上のＩＣ３９とは別に専用に設けられている。【選択図】図５
2007128566.tif 000002
【特許請求の範囲】
【請求項１】
回転ドラムおよび固定ドラムからなるドラム装置の外周面にヘリカル状に走行させた磁気テープから、ＭＲ（Magneto Resistive）素子を用いた再生ヘッドにより記録信号を読み取る磁気再生装置において、
前記回転ドラムと前記固定ドラムとの間で電気信号を授受するロータリートランスと、
前記回転ドラム上の回路に対して、前記ロータリートランスを介して交流電源電圧を供給する電源供給回路と、
前記回転ドラム上において、前記電源供給回路から前記ロータリートランスを介して供給された前記交流電源電圧を整流する整流回路、および、整流された電源電圧を基に、接地電位を基準としたプラス側およびマイナス側に対して所定の電圧を発生する定電圧発生回路を、前記回転ドラム上の他の回路とは別にそれぞれ専用に備えて、前記ＭＲ素子に対してセンス電流およびバイアス電流を供給する電流供給回路と、
を有することを特徴とする磁気再生装置。
【請求項２】
前記定電圧発生回路は、前記プラス側および前記マイナス側に対してそれぞれ絶対値の等しい電圧を発生することを特徴とする請求項１記載の磁気再生装置。
【請求項３】
前記整流回路では、接地電位を基準としたプラス側およびマイナス側にそれぞれ接続されたコンデンサの容量が同一であることを特徴とする請求項１記載の磁気再生装置。
【請求項４】
前記電流供給回路は、前記電源供給回路からの電源供給の開始時および停止時における、前記ＭＲ素子の端子間電圧の接地電位からの変動幅が、０．５Ｖ以下となるように構成されていることを特徴とする請求項１記載の磁気再生装置。
【請求項５】
前記電源供給回路からの前記交流電源電圧のエンベロープの立ち上がり時間および立ち下がり時間が、前記電流供給回路内の容量による時定数で決まる出力電圧の立ち上がり時間および立ち下がり時間より十分長くなるように、前記電源供給回路の出力電圧を制御する電源制御回路をさらに有することを特徴とする請求項１記載の磁気再生装置。
【請求項６】
前記定電圧発生回路からの出力電圧の立ち上がり時間および立ち下がり時間が、前記電流供給回路内の容量の時定数で決まる出力電圧の立ち上がり時間および立ち下がり時間より十分長くなるように、前記電源供給回路からの前記交流電源電圧のパルス幅を制御する電源制御回路をさらに有することを特徴とする請求項１記載の磁気再生装置。
【請求項７】
前記電流供給回路は、前記プラス側および前記マイナス側にそれぞれ接続された同一容量のコンデンサからなり、前記定電圧発生回路の出力を安定化する安定化回路をさらに有することを特徴とする請求項１記載の磁気再生装置。
【請求項８】
前記回転ドラム上の他の回路として、前記再生ヘッドによる再生信号を増幅する増幅回路を含むことを特徴とする請求項１記載の磁気再生装置。
【請求項９】
複数の前記再生ヘッドと、前記各再生ヘッドによる再生信号をそれぞれ増幅する複数の増幅回路と、前記各増幅回路からの出力切り換えを制御する切り換え制御回路とが、前記回転ドラム上に設けられ、
前記回転ドラム上の他の回路として、前記増幅回路と前記切り換え制御回路とを含むことを特徴とする請求項１記載の磁気再生装置。
【請求項１０】
回転ドラムおよび固定ドラムからなるドラム装置の外周面にヘリカル状に走行させた磁気テープから、ＭＲ素子を用いた再生ヘッドにより記録信号を読み取る磁気再生装置において、
前記回転ドラムと前記固定ドラムとの間で電気信号を授受するロータリートランスと、
前記回転ドラム上の回路に対して、前記ロータリートランスを介して交流電源電圧を供給する電源供給回路と、
前記回転ドラム上において、前記電源供給回路から前記ロータリートランスを介して供給された前記交流電源電圧を整流する整流回路、および、整流された電源電圧を基に、接地電位を基準としたプラス側およびマイナス側に対して所定の電圧を発生する定電圧発生回路を備えて、前記ＭＲ素子に対してセンス電流およびバイアス電流を供給する電流供給回路と、
前記電源供給回路からの前記交流電源電圧のエンベロープの立ち上がり時間および立ち下がり時間が、前記電流供給回路内の容量による時定数で決まる出力電圧の立ち上がり時間および立ち下がり時間より十分長くなるように、前記電源供給回路の出力電圧を制御する電源制御回路と、
を有することを特徴とする磁気再生装置。
【請求項１１】
回転ドラムおよび固定ドラムからなるドラム装置の外周面にヘリカル状に走行させた磁気テープから、ＭＲ素子を用いた再生ヘッドにより記録信号を読み取る磁気再生装置において、
前記回転ドラムと前記固定ドラムとの間で電気信号を授受するロータリートランスと、
前記回転ドラム上の回路に対して、前記ロータリートランスを介して交流電源電圧を供給する電源供給回路と、
前記回転ドラム上において、前記電源供給回路から前記ロータリートランスを介して供給された前記交流電源電圧を整流する整流回路、および、整流された電源電圧を基に、接地電位を基準としたプラス側およびマイナス側に対して所定の電圧を発生する定電圧発生回路を備えて、前記ＭＲ素子に対してセンス電流およびバイアス電流を供給する電流供給回路と、
前記定電圧発生回路からの出力電圧の立ち上がり時間および立ち下がり時間が、前記電流供給回路内の容量の時定数で決まる出力電圧の立ち上がり時間および立ち下がり時間より十分長くなるように、前記電源供給回路からの前記交流電源電圧のパルス幅を制御する電源制御回路と、
を有することを特徴とする磁気再生装置。
【請求項１２】
回転ドラムおよび固定ドラムからなるドラム装置と、前記回転ドラム上に設けられて、前記ドラム装置の外周面をヘリカル状に走行する磁気テープから、ＭＲ素子を用いて記録信号を読み取る再生ヘッドと、前記回転ドラム上において、前記回転ドラムの外部からロータリートランスを介して供給された交流電源電圧を整流する整流回路、および、整流された電源電圧を基に、接地電位を基準としたプラス側およびマイナス側に対して所定の電圧を発生する定電圧発生回路を備えて、前記再生ヘッドに対してセンス電流およびバイアス電流を供給する電流供給回路とを備えた磁気再生装置において、前記電流供給回路を駆動するための前記交流電源電圧を供給する電源供給方法であって、
前記ロータリートランスを介して前記整流回路に供給する前記交流電源電圧のエンベロープの立ち上がり時間および立ち下がり時間が、前記電流供給回路内の容量による時定数で決まる出力電圧の立ち上がり時間および立ち下がり時間より十分長くなるように、前記交流電源電圧を制御する、
ことを特徴とする電源供給方法。
【請求項１３】
回転ドラムおよび固定ドラムからなるドラム装置と、前記回転ドラム上に設けられて、前記ドラム装置の外周面をヘリカル状に走行する磁気テープから、ＭＲ素子を用いて記録信号を読み取る再生ヘッドと、前記回転ドラム上において、前記回転ドラムの外部からロータリートランスを介して供給された交流電源電圧を整流する整流回路、および、整流された電源電圧を基に、接地電位を基準としたプラス側およびマイナス側に対して所定の電圧を発生する定電圧発生回路を備えて、前記再生ヘッドに対してセンス電流およびバイアス電流を供給する電流供給回路とを備えた磁気再生装置において、前記電流供給回路を駆動するための前記交流電源電圧を供給する電源供給方法であって、
前記定電圧発生回路からの出力電圧の立ち上がり時間および立ち下がり時間が、前記電流供給回路内の容量の時定数で決まる出力電圧の立ち上がり時間および立ち下がり時間より十分長くなるように、前記ロータリートランスを介して前記整流回路に供給する前記交流電源電圧のパルス幅を制御する、
ことを特徴とする電源供給方法。
【発明の詳細な説明】
【技術分野】
【０００１】
本発明は、磁気テープの記録信号を再生する磁気再生装置およびその電源供給方法に関し、特に、再生ヘッドにＭＲ素子を用いた、ヘリカルスキャン方式の磁気再生装置およびその電源供給方法に関する。
【背景技術】
【０００２】
近年、磁気テープを用いてデータの記録および再生を行う磁気記録再生装置においては、取り扱う情報量の増大にともなってさらなる記録密度の向上が望まれている。そのため、信号の読み取り用の磁気ヘッドとして、従来のインダクティブヘッドに代わりＭＲ（Magneto Resistive：磁気抵抗効果型）ヘッドを採用することが望まれている。ＭＲヘッドは、ＭＲ素子により磁気抵抗効果を利用して磁気記録媒体に記録された信号を読み取る磁気ヘッドであり、信号の検出感度が高く、大きな再生出力を得られるため、磁気テープ上の記録トラック幅を容易に縮小できるとともに線方向の記録密度が高められ、高密度の記録および再生を行うことが可能となる。
【０００３】
このＭＲヘッドは、一般的に、インダクティブ型ヘッドと比較して静電気に弱い性質を有しており、帯電した磁気テープの接触などにより比較的容易に静電破壊が発生することが問題となっている。このような静電破壊を防止した従来の磁気再生装置として、例えば、回転ドラムの回転軸、および磁気テープのテープガイドをともに接地して、回転ドラムおよび磁気テープの各電位を外部接地電位と共通化したものがあった（例えば、特許文献１参照）。
【０００４】
また、ＭＲヘッドでは、磁気テープに記録された信号が磁界に応じた抵抗変化として検出されるため、ＭＲ素子に対して信号検出用電流（センス電流）を供給する必要がある。また、この抵抗変化は入力磁界に対して非線形特性を持つため、ＭＲヘッドの動作点を直線性の良好な領域に制御するためのバイアス電流の供給も必要となる。このため、ＭＲヘッドが搭載されたヘリカルスキャン方式の磁気記録再生装置（または磁気再生装置）では、センス電流やバイアス電流（以下、これらを合わせてバイアス電流と呼ぶ）の供給回路が、回転ドラム上に設けられる。また、ＭＲヘッドによる再生信号を増幅する回路も、回転ドラム上に設けられることが多い（例えば、特許文献２参照）。
【０００５】
図１２は、ＭＲヘッドに対する従来のバイアス電流供給回路の概略構成を示す図である。
ヘリカルスキャン方式の磁気記録再生装置には、固定ドラム１０１および回転ドラム１０２からなるヘッドドラム装置が用いられている。固定ドラム１０１は装置本体側に固定され、回転ドラム１０２は、固定ドラム１０１に対してこれと同軸上で回転する。回転ドラム１０２の外周部には、磁気テープ１に対する記録用ヘッド（図示せず）、および再生用ヘッドであるＭＲヘッド２００（ここではＧＭＲヘッドとする。ＧＭＲ：Giant Magneto Resistive）が設けられる。そして、磁気テープ１が回転ドラム１０２および固定ドラム１０１の外周部にヘリカル状に走行し、回転ドラム１０２の回転に伴って各ヘッドが磁気テープ１の記録面を走査することで、信号の記録および再生が行われる。
【０００６】
また、上述したように、回転ドラム１０２には、ＭＲヘッド２００に対してバイアス電流を供給する回路や、ＭＲヘッド２００による再生信号を増幅する回路などが設けられている。バイアス電流を発生するための電源電圧は、装置本体側の電源供給回路１１０から、固定ドラム１０１および回転ドラム１０２の間のロータリートランス１２０を介して、回転ドラム１０２上に設けられた整流・定電圧回路１３０に供給される。
【０００７】
この整流・定電圧回路１３０は、整流された電源電圧を基に、プラス側・マイナス側にそれぞれ同じ電圧を発生するレギュレータ１３１および１３２を備え、これらの発生電圧を、それぞれ同じ抵抗値を持つヘッド保護用の抵抗Ｒ１およびＲ２を介して、ＭＲヘッド２００に供給することで、バイアス電流を供給している。また、回転ドラム１０２には、さらに、ＭＲヘッド２００による再生信号の増幅回路などを含むＩＣ（Integrated Circuit）１４０が設けられており、このＩＣ１４０は、バイアス電流発生用と共通の電源（ここでは、レギュレータ１３１からの電圧）により動作する。
【０００８】
このように、バイアス電流を、プラス側・マイナス側に同一の電圧を発生する電源により発生させることで、ＭＲヘッド２００のセンター電位が理論上０Ｖとなり、静電破壊に対する安全性を高めることができる。これとともに、ＩＣ１４０内の増幅回路に対して差動信号を入力できるようになるので、信号の被りやクロストークに対する耐性が強くなり、高転送レートのシステムにおいて実装上有利になるという利点も生まれる。
【０００９】
しかし、このような構成の回路では、再生動作の停止などにより、整流・定電圧回路１３０に対する電源の供給が切断されたとき、プラス側・マイナス側の電源電圧のバランスが崩れ、ＭＲヘッド２００に対して過大な電圧が発生してしまうことがあるという問題があった。
【００１０】
図１３は、従来の磁気記録再生装置における電源切断時の各種信号波形の例を示すグラフである。
この図１３のグラフでは、電源供給回路１１０からの電源電圧が切断されると、レギュレータ１３２からのマイナス側の出力電圧−Ｖｅｅは比較的早く０Ｖに収束するものの、レギュレータ１３１からのプラス側の出力電圧Ｖｃｃは、マイナス側より緩やかに収束する。従って、Ｖｃｃが収束するまでの間、電源電圧のバランスが一時的に崩れ、これによってＭＲヘッド２００の端子間には最大で１Ｖ前後の電圧が印加されてしまい、過大な電流によりＭＲ素子が破壊される、あるいはＭＲ素子の寿命を短縮してしまう可能性が生じる。また、このような電源電圧のバランスが崩れた状態では、例えば静電気に帯電した磁気テープ１が接触するなどした場合に、ＭＲ素子に対する放電が発生しやすくなり、ＭＲ素子に静電破壊が生じることも多くなる。
【特許文献１】特開２００３−２２５０７号公報（段落番号〔００１８〕〜〔００２４〕、図１）
【特許文献２】特開２００２−２５１７０２号公報（段落番号〔００２５〕〜〔００２８〕、図４）
【発明の開示】
【発明が解決しようとする課題】
【００１１】
上記のように、電源切断時にＭＲヘッド２００に高電圧が印加される現象は、例えば、プラス側の電源が、ＭＲヘッド２００の端子とともに、増幅回路を備えたＩＣ１４０にも供給されているため、接続されているコンデンサの容量がプラス側とマイナス側とで異なっていること、また、供給電圧がある一定の電圧以下になると、ＩＣ１４０の動作が停止して電流消費が０になることなどが原因となって発生する。さらに、このような現象は、電源切断時だけでなく、電源の供給開始時にも発生し得る。
【００１２】
このような高電圧印加の現象に対処するために、例えば、ダイオードを用いてＭＲヘッド２００を保護することが考えられるが、この場合でも、ダイオードの耐電圧（通常０．７Ｖ程度）を超えた電圧が印加されると電流が流れてしまい、ＭＲ素子の破壊を確実に防止できるとは言えなかった。
【００１３】
本発明はこのような点に鑑みてなされたものであり、再生動作の開始時・停止時における高電圧印加によるＭＲヘッドの破壊を安定的に防止できるようにした磁気再生装置を提供することを目的とする。
【００１４】
また、本発明の他の目的は、磁気再生装置の再生動作の開始時・停止時における高電圧印加によるＭＲヘッドの破壊を安定的に防止できるようにした電源供給方法を提供することである。
【課題を解決するための手段】
【００１５】
本発明では上記課題を解決するために、回転ドラムおよび固定ドラムからなるドラム装置の外周面にヘリカル状に走行させた磁気テープから、ＭＲ素子を用いた再生ヘッドにより記録信号を読み取る磁気再生装置において、前記回転ドラムと前記固定ドラムとの間で電気信号を授受するロータリートランスと、前記回転ドラム上の回路に対して、前記ロータリートランスを介して交流電源電圧を供給する電源供給回路と、前記回転ドラム上において、前記電源供給回路から前記ロータリートランスを介して供給された前記交流電源電圧を整流する整流回路、および、整流された電源電圧を基に、接地電位を基準としたプラス側およびマイナス側に対して所定の電圧を発生する定電圧発生回路を、前記回転ドラム上の他の回路とは別にそれぞれ専用に備えて、前記ＭＲ素子に対してセンス電流およびバイアス電流を供給する電流供給回路とを有することを特徴とする磁気再生装置が提供される。
【００１６】
このような磁気再生装置では、電源供給回路からの交流電源電圧が、ロータリートランスを介して、回転ドラム上に設けられた電流供給回路に供給される。電流供給回路は、供給された交流電源電圧を基に、再生ヘッドのＭＲ素子に対してセンス電流およびバイアス電流を供給する。この電流供給回路は、電圧供給回路からの交流電源電圧を整流する整流回路と、整流された電源電圧を基に、接地電位を基準としたプラス側およびマイナス側に対して所定の電圧を発生する定電圧発生回路とを、回転ドラム上の他の回路とは別にそれぞれ専用に備えている。
【００１７】
また、本発明では、回転ドラムおよび固定ドラムからなるドラム装置の外周面にヘリカル状に走行させた磁気テープから、ＭＲ素子を用いた再生ヘッドにより記録信号を読み取る磁気再生装置において、前記回転ドラムと前記固定ドラムとの間で電気信号を授受するロータリートランスと、前記回転ドラム上の回路に対して、前記ロータリートランスを介して交流電源電圧を供給する電源供給回路と、前記回転ドラム上において、前記電源供給回路から前記ロータリートランスを介して供給された前記交流電源電圧を整流する整流回路、および、整流された電源電圧を基に、接地電位を基準としたプラス側およびマイナス側に対して所定の電圧を発生する定電圧発生回路を備えて、前記ＭＲ素子に対してセンス電流およびバイアス電流を供給する電流供給回路と、前記電源供給回路からの前記交流電源電圧のエンベロープの立ち上がり時間および立ち下がり時間が、前記電流供給回路内の容量による時定数で決まる出力電圧の立ち上がり時間および立ち下がり時間より十分長くなるように、前記電源供給回路の出力電圧を制御する電源制御回路とを有することを特徴とする磁気再生装置が提供される。
【００１８】
このような磁気再生装置では、電源供給回路からの交流電源電圧が、ロータリートランスを介して、回転ドラム上に設けられた電流供給回路に供給される。電流供給回路は、供給された交流電源電圧を整流する整流回路と、整流された電源電圧を基に、接地電位を基準としたプラス側およびマイナス側に対して所定の電圧を発生する定電圧発生回路とを備え、再生ヘッドのＭＲ素子に対してセンス電流およびバイアス電流を供給する。電源制御回路は、電源供給回路からの交流電源電圧のエンベロープの立ち上がり時間および立ち下がり時間が、電流供給回路内の容量による時定数で決まる出力電圧の立ち上がり時間および立ち下がり時間より十分長くなるように、電源供給回路の出力電圧を制御する。
【００１９】
さらに、本発明では、回転ドラムおよび固定ドラムからなるドラム装置の外周面にヘリカル状に走行させた磁気テープから、ＭＲ素子を用いた再生ヘッドにより記録信号を読み取る磁気再生装置において、前記回転ドラムと前記固定ドラムとの間で電気信号を授受するロータリートランスと、前記回転ドラム上の回路に対して、前記ロータリートランスを介して交流電源電圧を供給する電源供給回路と、前記回転ドラム上において、前記電源供給回路から前記ロータリートランスを介して供給された前記交流電源電圧を整流する整流回路、および、整流された電源電圧を基に、接地電位を基準としたプラス側およびマイナス側に対して所定の電圧を発生する定電圧発生回路を備えて、前記ＭＲ素子に対してセンス電流およびバイアス電流を供給する電流供給回路と、前記定電圧発生回路からの出力電圧の立ち上がり時間および立ち下がり時間が、前記電流供給回路内の容量の時定数で決まる出力電圧の立ち上がり時間および立ち下がり時間より十分長くなるように、前記電源供給回路からの前記交流電源電圧のパルス幅を制御する電源制御回路とを有することを特徴とする磁気再生装置が提供される。
【００２０】
このような磁気再生装置では、電源供給回路からの交流電源電圧が、ロータリートランスを介して、回転ドラム上に設けられた電流供給回路に供給される。電流供給回路は、供給された交流電源電圧を整流する整流回路と、整流された電源電圧を基に、接地電位を基準としたプラス側およびマイナス側に対して所定の電圧を発生する定電圧発生回路とを備え、再生ヘッドのＭＲ素子に対してセンス電流およびバイアス電流を供給する。電源制御回路は、定電圧発生回路からの出力電圧の立ち上がり時間および立ち下がり時間が、電流供給回路内の容量の時定数で決まる出力電圧の立ち上がり時間および立ち下がり時間より十分長くなるように、電源供給回路からの交流電源電圧のパルス幅を制御する。
【発明の効果】
【００２１】
本発明の磁気再生装置によれば、ＭＲ素子に対してセンス電流およびバイアス電流を供給する電流供給回路が、電圧供給回路からの交流電源電圧を整流する整流回路と、整流された電源電圧を基に、接地電位を基準としたプラス側およびマイナス側に対して所定の電圧を発生する定電圧発生回路とを、回転ドラム上の他の回路とは別にそれぞれ専用に備えている。このため、電圧供給回路からの交流電源電圧の供給開始時および停止時において、定電圧発生回路からのプラス側およびマイナス側の電圧バランスが安定化され、このときにＭＲ素子に対して過大な電圧が印加されることが防止される。従って、ＭＲ素子の破壊が防止されて、ＭＲヘッドを安定的に使用できるようになる。
【００２２】
また、本発明の磁気再生装置によれば、ＭＲ素子に対してセンス電流およびバイアス電流を供給する電流供給回路が設けられ、この電流供給回路に対して電源供給回路から供給される交流電源電圧のエンベロープの立ち上がり時間および立ち下がり時間を、電流供給回路内の容量による時定数で決まる出力電圧の立ち上がり時間および立ち下がり時間より十分長くするように、電源供給回路の出力電圧を制御する電源制御回路を設けたことにより、電流供給回路内の部品の特性バラツキに関係なく、電源供給回路からの交流電源電圧の供給開始時および停止時における定電圧発生回路からのプラス側およびマイナス側の電圧バランスを安定化することができる。従って、このときにＭＲ素子に対して過大な電圧が印加されなくなり、ＭＲ素子の破壊が防止されて、ＭＲヘッドを安定的に使用できるようになる。
【００２３】
さらに、本発明の磁気再生装置によれば、ＭＲ素子に対してセンス電流およびバイアス電流を供給する電流供給回路が設けられ、この電流供給回路内の定電圧発生回路からの出力電圧の立ち上がり時間および立ち下がり時間を、電流供給回路内の容量の時定数で決まる出力電圧の立ち上がり時間および立ち下がり時間より十分長くするように、電源供給回路から電流供給回路に対して供給する交流電源電圧のパルス幅を制御する電源制御回路を設けたことにより、電流供給回路内の部品の特性バラツキに関係なく、電源供給回路からの交流電源電圧の供給開始時および停止時における定電圧発生回路からのプラス側およびマイナス側の電圧バランスを安定化することができる。従って、このときにＭＲ素子に対して過大な電圧が印加されなくなり、ＭＲ素子の破壊が防止されて、ＭＲヘッドを安定的に使用できるようになる。
【発明を実施するための最良の形態】
【００２４】
以下、本発明の実施の形態を、図面を参照して詳細に説明する。
図１は、本発明の実施の形態に係る磁気記録再生装置における磁気テープの走行系の概略を示す図である。
【００２５】
図１に示す磁気記録再生装置は、記録媒体として磁気テープ１を用い、ヘリカルスキャン方式で信号の記録および再生を行う装置であり、例えばコンピュータ装置用のデータ記憶装置、あるいはビデオ信号やオーディオ信号の記録装置などとして用いられる。この図１に示すように、磁気記録再生装置は、磁気テープ１に対する信号の書き込みおよび読み取りを行うヘッドドラム装置２と、磁気テープ１を所定の速度で走行させるキャプスタン３およびピンチローラ４と、磁気テープ１の走行を補助する複数のテープガイド（ＴＧ）５ａ〜５ｅと、ヘッドドラム装置２に接地電位を安定化するための軸アース部材６を備えている。また、この磁気記録再生装置に挿入されたカセットケース７は、磁気テープ１の巻き取りリール７ａおよび供給リール７ｂを具備する。
【００２６】
この磁気記録再生装置において、磁気テープ１の記録および再生が行われる際は、カセットケース７が図１中下方から上方に向かって挿入され、ヘッドドラム装置２の近接位置にセットされる。そして、ヘッドドラム装置２の回転ドラムが回転するとともに、ピンチローラ４およびＴＧ５ａ〜５ｅなどが図中上方に移動してローディング動作が行われ、磁気テープ１はヘッドドラム装置２の外周面の一部に巻き付けられる。これとともに、キャプスタン３および巻き取りリール７ａが回転することにより磁気テープ１が走行し、回転ドラム上の磁気ヘッドが磁気テープ１の表面を走査して、信号の書き込みや読み取りが開始される。
【００２７】
図２は、ヘッドドラム装置の構成例を示す斜視図である。
ヘッドドラム装置２は、図２に示すように、全体として平滑な外周面を有する円筒形をなし、上部の回転ドラム２１と、回転ドラム２１の回転軸と同軸上に配置されて磁気記録再生装置の本体側に固定された固定ドラム２２によって構成される。回転ドラム２１の外周面には、磁気テープ１に信号を書き込むための記録用磁気ヘッド（以下、記録ヘッドと呼ぶ）２３と、磁気テープ１の記録信号を読み取るための再生用磁気ヘッド（以下、再生ヘッドと呼ぶ）２４とが設けられている。
【００２８】
信号の記録および再生時には、磁気テープ１がヘッドドラム装置２の外周面にヘリカル状に巻き付いて走行する。また、記録ヘッド２３および再生ヘッド２４の各ヘッド素子は、回転ドラム２１の外周面よりわずかに外側に突き出た状態で設けられて、磁気テープ１に接触する。そして、回転ドラム２１の回転により各ヘッド素子が磁気テープ１上を斜めに走査することで、信号の書き込みおよび読み取りが行われる。
【００２９】
本実施の形態では、記録ヘッド２３として、例えば磁気ギャップを有する磁気コアにコイルが巻回されてなる、いわゆるインダクティブ型の磁気ヘッドが用いられる。一方、再生ヘッド２４は、ヘッド素子として磁気抵抗効果型（ＭＲ）素子を用いたＭＲヘッドである。この再生ヘッド２４は、磁気テープ１の記録信号に応じたＭＲ素子の抵抗値の変化を検出することにより、記録信号を読み取る。
【００３０】
なお、回転ドラム２１の回転軸をなすシャフト２５は、導電性の材料により形成され、回転ドラム２１側に固定されている。そして、装置本体の筐体などに接続された導電性の軸アース部材６が、このシャフト２５に接触することで、回転ドラム２１の電位が安定的に接地電位に保たれている。また、軸アース部材６によらず、他の構成により回転ドラム２１を接地電位としてもよい。
【００３１】
図３は、信号の記録および再生のための回路構成例を示す図である。
この磁気記録再生装置は、再生信号や記録信号の処理のためのリード／ライト信号処理回路３１と、記録信号に対するドライバ回路３２と、再生信号用の初段増幅回路３３および次段増幅回路３４と、再生信号の回路系のための整流・定電圧回路３５、電源供給回路３６、および電源制御回路３７とを備えている。これらのうち、リード／ライト信号処理回路３１、記録信号用のドライバ回路３２、再生信号用の次段増幅回路３４、電源供給回路３６、および電源制御回路３７は、装置本体側に設けられており、再生信号用の初段増幅回路３３、および整流・定電圧回路３５は、回転ドラム２１上に設けられている。さらに、回転ドラム２１と固定ドラム２２との間には、信号などを非接触で受け渡すためのロータリートランス３８が設けられている。なお、初段増幅回路３３は、例えばＩＣに内蔵されて回転ドラム２１に搭載される。
【００３２】
信号記録の際には、リード／ライト信号処理回路３１において、入力されたデータに変調などを施して記録信号が生成され、この記録信号がドライバ回路３２により増幅された後、ロータリートランス３８を介して記録ヘッド２３に供給される。また、信号再生の際には、再生ヘッド２４により読み取られた信号が、初段増幅回路３３により増幅された後、ロータリートランス３８を介して次段増幅回路３４に供給され、さらに増幅される。増幅後の再生信号は、リード／ライト信号処理回路３１において復調などが施され、再生データが生成されて出力される。
【００３３】
また、この磁気記録再生装置では、ＭＲヘッドである再生ヘッド２４にセンス電流やバイアス電流（以下、これらを含めてバイアス電流と呼ぶ）を供給するための回路を設ける必要がある。また、回転ドラム２１上に再生信号用の初段増幅回路３３が設けられていることから、この回路のための電源を回転ドラム２１に対して供給する必要がある。整流・定電圧回路３５は、再生ヘッド２４に対してバイアス電流を供給するとともに、初段増幅回路３３に対して駆動電源を供給する。電源供給回路３６は、ロータリートランス３８を介して、整流・定電圧回路３５に対してＡＣ電源電圧を供給する。電源供給回路３６は、例えば、２００ｋＨｚ程度の信号を再生する場合、比較的低周波のＡＣ電源電圧をロータリートランス３８を介して伝送する。そして、整流・定電圧回路３５は、伝送されたＡＣ電源電圧を平滑化（整流）して、直流のバイアス電流、および初段増幅回路３３に対する電源電圧を発生している。
【００３４】
また、電源制御回路３７は、電源供給回路３６から整流・定電圧回路３５へのＡＣ電源電圧のエンベロープの立ち上がり・立ち下がりの時間を制御する。具体的には、後述するように、そのエンベロープの立ち上がり・立ち下がりの時間が、整流・定電圧回路３５におけるバイアス電流発生のための整流回路の充放電時の時定数より決まる立ち上がり・立ち下がりの時間よりも、大きくなるように設定する。
【００３５】
ここで、後の図５で説明するように、整流・定電圧回路３５においては、再生ヘッド２４に対するバイアス電流供給用の回路と、初段増幅回路３３とで、電源供給の回路が別系統とされており、これにより、電源供給回路３６からの電源供給の切断時などにおいて、初段増幅回路３３の電力消費に起因して、ＭＲヘッドに対するプラス側・マイナス側の電源電圧のバランスが崩れることを防止している。
【００３６】
図４は、信号の記録および再生のための別の回路構成例を示す図である。
図４では、回転ドラム２１上に、２つの再生ヘッド２４ａおよび２４ｂを設けて、信号読み出し速度を向上させた場合の回路構成例を示している。この場合、再生ヘッド２４ａおよび２４ｂは、例えば、回転ドラム２１上において回転軸を中心として１８０°対向した位置に搭載される。また、回転ドラム２１には、さらに、２つの再生ヘッド２４ａおよび２４ｂによる再生信号をそれぞれ増幅する初段増幅回路３３ａおよび３３ｂと、増幅された各再生信号を切り換えるためのスイッチ４０ａおよび４０ｂと、その切り換え動作を制御する制御回路４１とが設けられている。
【００３７】
このような回路において、制御回路４１は、例えば、回転ドラム２１の回転に応じてパルス信号を出力するパルスジェネレータ（図示せず）からのパルス信号に基づいて、回転ドラム２１の回転角を検出し、その検出結果に応じてスイッチ４０ａおよび４０ｂを交互に切り換える。これにより、再生ヘッド２４ａおよび２４ｂのそれぞれによる再生信号が、ロータリートランス３８および次段増幅回路３４を介してリード／ライト信号処理回路３１に順次供給される。
【００３８】
また、この図４では、さらに、リード／ライト信号処理回路３１からの記録信号を増幅するための２段のドライバ回路３２ａおよび３２ｂが設けられており、それらのうちドライバ回路３２ｂが、回転ドラム２１上に搭載されている。そして、記録信号用のドライバ回路３２ｂ、再生信号用の初段増幅回路３３ａおよび３３ｂ、制御回路４１に対する電源電圧が、整流・定電圧回路３５から供給される。また、再生ヘッド２４ａおよび２４ｂに対するバイアス電流も、整流・定電圧回路３５から出力される。
【００３９】
この図４の整流・定電圧回路３５においても、図３の場合と同様に、再生ヘッド２４ａおよび２４ｂに対するバイアス電流供給用の回路と、ドライバ回路３２ｂ、初段増幅回路３３ａ，３３ｂ、および制御回路４１とで、電源供給の回路が別系統とされ、これにより、電源供給回路３６からの電源供給の切断時などにおいて、ＭＲヘッドに対するプラス側・マイナス側の電源電圧のバランスが崩れることを防止している。
【００４０】
図５は、回転ドラムにおける再生信号用の回路の構成を示す図である。
図５に示すように、整流・定電圧回路３５には、再生ヘッド２４へのバイアス電流発生用の回路として、プラス側・マイナス側にそれぞれ同じ電圧（例えば±３Ｖ）を発生するレギュレータ３５１および３５２と、整流用のコンデンサＣ１１およびＣ１２と、電圧安定用のコンデンサＣ２１およびＣ２２とが設けられている。コンデンサＣ１１およびＣ１２は、レギュレータ３５１および３５２の入力側の端子間に直列に接続され、コンデンサＣ２１およびＣ２２は、レギュレータ３５１および３５２の出力側の端子間に直列に接続されている。また、コンデンサＣ１１およびＣ１２の接続点と、コンデンサＣ２１およびＣ２２の接続点は、ともに回転ドラム２１に接続されて接地電位とされている。このような構成により、コンデンサＣ１１およびＣ１２は、電源供給回路３６からロータリートランス３８を介して供給されたＡＣ電源電圧を整流し、コンデンサＣ２１およびＣ２２は、レギュレータ３５１および３５２の出力信号を安定化する。
【００４１】
また、再生ヘッド２４のヘッド素子２４１（ここでは例として、ＧＭＲヘッドとする。）の両端には抵抗Ｒ１およびＲ２が接続され、レギュレータ３５１および３５２の出力電圧は、これらの抵抗Ｒ１およびＲ２を介してヘッド素子２４１に印加され、これによりバイアス電流が供給される。
【００４２】
ここで、コンデンサＣ１１およびＣ１２は、ともに同じ容量とされている。また、コンデンサＣ２１およびＣ２２も、同様にともに同じ容量とされている。また、再生ヘッド２４の抵抗Ｒ１およびＲ２も、ともに同じ抵抗値を有している。このような構成により、ヘッド素子２４１のセンター電位が理論上０Ｖとなり、静電破壊に対する安全性が高められる。コンデンサＣ１１，Ｃ１２，Ｃ２１，Ｃ２２の容量、および抵抗Ｒ１，Ｒ２の抵抗値としては、電源供給の開始時や停止時などの過渡応答時において、このような回路で一般的に設けられる保護ダイオードの耐電圧より、ヘッド素子２４１のセンター電位が低くなるように設定し、例えばセンター電位が０．５Ｖ以下となるように設定する。
【００４３】
一方、図５中のＩＣ３９は、回転ドラム２１上に搭載された増幅器などの回路を集積したものである。具体的には、例えば図３の構成であれば、再生信号用の初段増幅回路３３がＩＣ３９に含まれる。また、図４の構成であれば、記録信号用のドライバ回路３２ｂ、再生信号用の初段増幅回路３３ａおよび３３ｂ、スイッチ４０ａおよび４０ｂの制御回路４１が、ＩＣ３９に含まれる。
【００４４】
このＩＣ３９は、電源供給回路３６から整流・定電圧回路３５に供給されたＡＣ電源電圧を、この整流・定電圧回路３５の内部の図示しない整流回路で整流したＤＣ電源電圧により駆動される。すなわち、コンデンサＣ１１，Ｃ１２，Ｃ２１，Ｃ２２、およびレギュレータ３５１および３５２からなる、バイアス電流供給用の電源回路には、負荷として再生ヘッド２４（ヘッド素子２４１、抵抗Ｒ１およびＲ２）のみが接続され、バイアス電流供給用には、ＩＣ３９への電源供給用とは別の電源回路が設けられた構成となっている。
【００４５】
このように、バイアス電流供給用に専用の電源回路を設けたことにより、プラス側・マイナス側におけるそれぞれの消費電流が合わせられる。そして、この電源回路において、プラス側・マイナス側のコンデンサの容量を等しくする、特に、整流用のコンデンサＣ１１およびＣ１２の容量を等しくすることで、電源供給の開始時や停止時などの過渡応答時にも、ヘッド素子２４１のセンター電位を、従来と比較してより確実に低い電位（０．５Ｖ以下）に保つことが可能となる。
【００４６】
図６は、電源供給が停止された場合の信号波形の例を示すグラフである。
図６中の下のグラフは、電源供給回路３６から整流・定電圧回路３５に対して出力されるＡＣ電源電圧のエンベロープを示しており、回転ドラム２１上の回路を動作させるための一定のＡＣ電源電圧を供給した状態から、図中のタイミングＴ１１において、電源供給を停止したことを示している。
【００４７】
図６中の上のグラフに示すように、タイミングＴ１１で電源供給が停止されると、レギュレータ３５１および３５２のそれぞれの出力電圧Ｖｃｃ，−Ｖｅｅは、コンデンサＣ１１，Ｃ１２，Ｃ２１，Ｃ２２による時定数に従って、緩やかに０Ｖに収束する。このときの収束波形は、プラス側・マイナス側で接地電位に対してほぼ対称になり、これにより、再生ヘッド２４のヘッド素子２４１の端子間電圧も、電源供給停止以前より特に高くなることなく、０Ｖに収束していく。従って、ＭＲ素子に高電圧が印加されることがなくなり、その安全性や耐久性を高めることができる。
【００４８】
ところで、整流・定電圧回路３５を上記のような構成とした場合でも、回路内の部品の特性バラツキにより、電源供給停止後のプラス側・マイナス側の出力電圧Ｖｃｃ，−Ｖｅｅのバランスに差が生じることがあり得る。例えば、コンデンサには±２０％程度の容量バラツキが生じることがあり、さらに、基板上の熱分布などによってバラツキはさらに大きくなる。
【００４９】
そこで、電源制御回路３７により、電源供給回路３６からのＡＣ電源電圧の出力開始時・停止時におけるエンベロープを制御して、整流・定電圧回路３５におけるプラス側・マイナス側の出力電圧バランスの崩れをより正確に防止できるようにする。具体的には、電源供給回路３６の出力電圧のエンベロープの立ち上がり時間・立ち下がり時間を、バイアス電流供給のための電源回路の持つ時定数で決まる立ち上がり時間・立ち下がり時間より十分長くなるように設定する。これにより、整流・定電圧回路３５内のコンデンサなどの特性バラツキに関係なく、ヘッド素子２４１に対する出力電圧バランスを確実に制御できるようになる。
【００５０】
以下、このような電源制御のための構成例について説明する。図７は、電源制御のための第１の構成例を示す図である。
図７において、電源供給回路３６は、パワー制御信号端子３６１とクロック端子３６２とを備える。パワー制御信号端子３６１に入力されるパワー制御信号の電圧レベルにより、電源供給回路３６の出力するＡＣ電源電圧の振幅が制御され、図示しない発振回路からクロック端子３６２に入力されるクロック信号の周波数により、ＡＣ出力の信号周波数が制御される。
【００５１】
また、電源制御回路３７ａは、パワー制御信号を出力するための可変電圧発生回路Ｅ１を備えている。そして、この電源制御回路３７ａは、電源供給の開始時において、パワー制御信号を所定のレベルまで緩やかに増加させ、また電源供給の終了時において、パワー制御信号を緩やかに低下させる。これにより、電源供給回路３６の出力電圧のエンベロープの立ち上がり時間・立ち下がり時間を、バイアス電流供給のための電源回路の持つ時定数で決まる立ち上がり時間・立ち下がり時間より十分長くする。
【００５２】
図８は、パワー制御信号のレベル制御を行った場合の電源供給停止時における信号波形の例を示すグラフである。
電源供給の停止時においては、図８中の下のグラフに示すように、電源制御回路３７ａからのパワー制御信号のレベル制御により、電源供給回路３６から整流・定電圧回路３５に対して出力されるＡＣ電源電圧のエンベロープを緩やかに収束させる。このとき、図８中の上のグラフに示すように、レギュレータ３５１および３５２のそれぞれの出力電圧Ｖｃｃ，−Ｖｅｅは、パワー制御信号のエンベロープの傾きに応じて、プラス側・マイナス側のバランスが崩れることなく緩やかに０Ｖに収束する。このため、再生ヘッド２４のヘッド素子２４１の端子間電圧も、電源供給停止以前より特に高くなることなく、０Ｖに収束している。
【００５３】
電源供給回路３６からのＡＣ電源電圧のエンベロープの立ち下がり時間を、バイアス電流供給のための電源回路における容量の時定数により決まる立ち下がり時間より十分大きくしておくことで、レギュレータ３５１および３５２の出力電圧Ｖｃｃ，−Ｖｅｅの立ち下がり時間は、ほぼＡＣ電源電圧の収束時間のみによって決まるようになる。従って、バイアス電流供給のための電源回路における容量のバラツキに関係なく、ＭＲ素子に高電圧が印加されることを確実に防止でき、その安全性や耐久性を高めることができる。
【００５４】
図９は、電源制御のための第２の構成例を示す図である。
図９では、電源制御回路３７ｂに、一端がスイッチ回路３７２を介して接続され、他端が接地電位とされた電圧発生回路Ｅ２およびコンデンサＣ２を設けている。この電源制御回路３７ｂでは、電源供給の開始時には、コンデンサＣ２が放電された状態から、スイッチ回路３７２を閉じることにより、電圧発生回路Ｅ２からの定電圧がコンデンサＣ２に印加され、コンデンサＣ２に電荷が蓄積される。これにより、パワー制御信号の出力レベルが緩やかに増加するように制御される。また、電源供給の停止時には、スイッチ回路３７２を開放すると、コンデンサＣ２の電荷が完全に放電されるまでの間、パワー制御信号のレベルが緩やかに低下するように制御される。
【００５５】
このような電源制御回路３７ｂでは、コンデンサＣ２による時定数が、バイアス電流供給用の電源回路の持つ時定数より十分高くなるように、コンデンサＣ２の容量を設定することにより、図７の場合と同様に、ヘッド素子２４１に対するプラス側・マイナス側の出力電圧のバランスを確実に良好に保ち、ヘッド素子２４１に例えば０．５Ｖを超える大きな電圧が印加されないようにすることができる。
【００５６】
図１０は、電源制御のための第３の構成例を示す図である。
図１０では、電源供給回路３６ｃにおいて、ＡＣ電源電圧の振幅の代わりに、そのパルス幅を変化させることで、整流・定電圧回路３５での整流後に、レギュレータ３５１および３５２から出力される実効的なＤＣ電圧を制御する、ＰＷＭ（Pulse Width Modulation）駆動型の電源制御回路構成としている。電源供給回路３６ｃは、振幅制御端子３６３から一定電位の信号を受け、クロック端子３６４から入力されるクロック信号の周波数に応じて、出力するＡＣ電源電圧のパルス幅（すなわち周波数）を変化させる。
【００５７】
電源制御回路３７ｃは、一定電圧を発生する電圧発生回路Ｅ３と、図示しない発振回路からのクロック信号を分周する分周回路３７３を備えている。電圧発生回路Ｅ３からの定電圧は、電源供給回路３６ｃの振幅制御端子３６３に供給され、分周回路３７３の出力クロック信号は、クロック端子３６４に供給される。分周回路３７３は、分周比制御信号に応じて、入力されたクロック信号を分周し、出力クロック信号の周波数を変化させる。分周比制御信号の設定により、整流・定電圧回路３５における整流後のＤＣ電圧のエンベロープの立ち上がり時間・立ち下がり時間を、バイアス電流供給のための電源回路の持つ時定数で決まる立ち上がり時間・立ち下がり時間より長くすることで、ヘッド素子２４１に対するプラス側・マイナス側の出力電圧バランスの崩れをより正確に防止できるようにする。なお、分周比制御信号は、例えば、この磁気記録再生装置内に設けられたマイクロコントローラなどの制御回路から、電源制御回路３７ｃに供給されてもよい。
【００５８】
図１１は、ＰＷＭ制御を行った場合の電源供給停止時における信号波形の例を示すグラフである。
図１１の例では、再生動作中における電源供給回路３６ｃからのＡＣ電源電圧の周波数を２５０ｋＨｚとしている。そして、電源供給停止時において、ＡＣ電源電圧を２５０ｋＨｚから、５０ｋＨｚ、２５ｋＨｚ、１０ｋＨｚ、０ｋＨｚの順に段階的に低下させていき、これにより、レギュレータ３５１および３５２からの出力電圧も段階的に接地電位に収束していく。このとき、レギュレータ３５１および３５２の出力電圧のプラス側・マイナス側のバランスが良好に保たれ、ヘッド素子２４１の端子間電圧の変動が接地電位付近に確実に抑制されている。
【００５９】
以上説明したように、上記の実施の形態に係る磁気記録再生装置では、電源供給回路３６からの電源供給の開始時および停止時において、ＭＲ素子に印加されるプラス側・マイナス側の電圧の変動を、センター電位の理論値（すなわち接地電位）に確実に近づけ、ＭＲ素子に過大な電圧が印加されることを防止できる。従って、ＭＲヘッドの信頼性、耐久性を向上させてその寿命を長くすることができ、静電気に対する耐性の低いＭＲヘッドを回転ドラムに搭載して、このＭＲヘッドを安定的に使用することが可能となる。また、静電気に帯電した磁気テープと接触するときに、ＭＲ素子に流れる放電電流の大きさを低減でき、そのときに再生信号上に発生するノイズを抑制することができる。
【００６０】
そして、このようにＭＲヘッドをヘリカルスキャン方式の磁気記録再生装置において安定的に使用できるようになることで、磁気テープへの記録密度およびその記録信号の再生速度をそれぞれ向上させ、書き込み・読み出し性能の高い大容量ストレージシステムを実現することが可能となる。
【００６１】
なお、上記の実施の形態では、バイアス電流供給用の電源回路を専用に設け、その内部におけるプラス側、マイナス側の容量を同一とすることで、ＭＲ素子への印加電圧のバランスがとりやすくなっている。しかし、このようにバイアス電流供給用の電源回路を専用に設けず、ＩＣなどの回転ドラム上の他の回路での電源供給用と兼用にした場合であっても、上記の図７，図９，図１０で例示したような電源制御回路による供給電圧の制御を適用することで、電源供給の開始時および停止時においてＭＲヘッドへの印加電圧を安定化し、ＭＲヘッドの信頼性、耐久性を向上させる効果を得ることができる。また、この場合には、例えば、バイアス電流供給用の回路（あるいはその機能の一部）がＩＣ（例えば図４のＩＣ３９）に内蔵されていてもよい。
【００６２】
また、本発明は、上記の実施の形態のように、磁気テープを用いた信号記録および再生が可能な磁気記録再生装置に限らず、信号再生のみ可能な磁気再生装置に対しても適用可能である。
【００６３】
さらに、本発明は、ヘリカルスキャン方式の磁気記録再生装置に限らず、リニア方式の磁気記録再生装置にも適用可能である。すなわち、ＭＲヘッドを用いたリニア方式の磁気記録再生装置（または磁気再生装置）でも、プラス側・マイナス側に所定の電圧を発生することでＭＲ素子へのバイアス電流を供給した場合には、電源供給の開始時および終了時において、プラス側・マイナス側の電圧バランスが崩れることがある。このため、バイアス電流供給用回路に供給されるＤＣ電源電圧の立ち上がり時間・立ち下がり時間が、バイアス電流供給用回路の持つ時定数で決まる立ち上がり時間・立ち下がり時間より十分長くなるように、ＤＣ電源の発生電圧を制御することで、上記の事態を防止して、ＭＲ素子を安定的に使用できるようになる。
【図面の簡単な説明】
【００６４】
【図１】本発明の実施の形態に係る磁気記録再生装置における磁気テープの走行系の概略を示す図である。
【図２】ヘッドドラム装置の構成例を示す斜視図である。
【図３】信号の記録および再生のための回路構成例を示す図である。
【図４】信号の記録および再生のための別の回路構成例を示す図である。
【図５】回転ドラムにおける再生信号用の回路の構成を示す図である。
【図６】電源供給が停止された場合の信号波形の例を示すグラフである。
【図７】電源制御のための第１の構成例を示す図である。
【図８】パワー制御信号のレベル制御を行った場合の電源供給停止時における信号波形の例を示すグラフである。
【図９】電源制御のための第２の構成例を示す図である。
【図１０】電源制御のための第３の構成例を示す図である。
【図１１】ＰＷＭ制御を行った場合の電源供給停止時における信号波形の例を示すグラフである。
【図１２】ＭＲヘッドに対する従来のバイアス電流供給回路の概略構成を示す図である。
【図１３】従来の磁気記録再生装置における電源切断時の各種信号波形の例を示すグラフである。
【符号の説明】
【００６５】
１……磁気テープ、２……ヘッドドラム装置、３……キャプスタン、４……ピンチローラ、５ａ〜５ｅ……テープガイド（ＴＧ）、６……軸アース部材、７……カセットケース、７ａ……巻き取りリール、７ｂ……供給リール、２１……回転ドラム、２２……固定ドラム、２３……記録ヘッド、２４……再生ヘッド、２５……シャフト、３１……リード／ライト信号処理回路、３２……ドライバ回路、３３……初段増幅回路、３４……次段増幅回路、３５……整流・定電圧回路、３６……電源供給回路、３７……電源制御回路、３８……ロータリートランス、３９……ＩＣ、２４１……ヘッド素子、３５１，３５２……レギュレータ、Ｃ１１，Ｃ１２，Ｃ２１，Ｃ２２……コンデンサ、Ｒ１，Ｒ２……抵抗
【図１】
2007128566.tif 000003
【図２】
2007128566.tif 000004
【図３】
2007128566.tif 000005
【図４】
2007128566.tif 000006
【図５】
2007128566.tif 000007
【図６】
2007128566.tif 000008
【図７】
2007128566.tif 000009
【図８】
2007128566.tif 000010
【図９】
2007128566.tif 000011
【図１０】
2007128566.tif 000012
【図１１】
2007128566.tif 000013
【図１２】
2007128566.tif 000014
【図１３】
2007128566.tif 000015